(57)【要約】【課題】映像に含まれる種々の輪郭を高い感度で効果的に補正することにより、鮮明な映像を得ることができる輪郭補正装置および輪郭補正方法を提供する。【解決手段】入力端子１０１Ｒ，１０１Ｇ，１０１Ｂには、それぞれ赤色原色信号Ｒ１、緑色原色信号Ｇ１および青色原色信号Ｂ１が入力される。赤色原色信号Ｒ１、緑色原色信号Ｇ１および青色原色信号Ｂ１の各々には、それぞれ輪郭補正処理が行われる。輪郭補正処理により得られる赤色原色信号Ｒ２、緑色原色信号Ｇ２および青色原色信号Ｂ２は、それぞれ出力端子１０２Ｒ，１０２Ｇ，１０２Ｂから外部へ出力される。【選択図】        図１
2004343644.tif 000002
【特許請求の範囲】
【請求項１】
複数の原色信号にそれぞれ対応して設けられ、各々が対応する原色信号を受ける複数の入力ノードと、
前記複数の原色信号に対応して設けられた複数の出力ノードと、
前記複数の入力ノードにそれぞれ接続され、各々が対応する入力ノードの原色信号に基づいて輪郭補正信号をそれぞれ生成する複数の補正信号生成手段と、
前記複数の入力ノードにそれぞれ接続され、各々が対応する補正信号生成手段により生成された輪郭補正信号に基づいて対応する入力ノードの原色信号を補正し、補正された原色信号を対応する出力ノードに与える複数の補正手段とを備えたことを特徴とする輪郭補正装置。
【請求項２】
前記複数の補正信号生成手段の各々は、
対応する原色信号から第１の高域成分を抽出し、抽出した第１の高域成分に基づいて第１の補正信号を生成する第１の補正信号生成手段を含み、
前記複数の補正手段の各々は、対応する第１の補正信号生成手段により生成された前記第１の補正信号に基づく前記輪郭補正信号を用いて対応する原色信号を補正することを特徴とする請求項１記載の輪郭補正回路。
【請求項３】
前記複数の輪郭補正信号生成手段の各々は、
対応する原色信号から第２の高域成分を抽出し、抽出した高域成分に基づいて第２の補正信号を生成する第２の補正信号生成手段と、
前記第１の補正信号生成手段により生成された前記第１の補正信号と前記第２の補正信号生成手段により生成された前記第２の補正信号との演算により前記輪郭補正信号を生成する演算手段とをさらに含み、
前記複数の補正手段の各々は、対応する演算手段により得られた前記輪郭補正信号を前記原色信号に合成する合成手段を含むことを特徴とする請求項２記載の輪郭補正回路。
【請求項４】
前記複数の入力ノードの複数の原色信号から輝度信号を生成する輝度信号生成手段と、
前記輝度信号生成手段により生成された輝度信号に基づいて第２の高域信号を抽出し、抽出した前記第２の高域信号に基づいて第２の補正信号を生成する第２の補正信号生成手段とをさらに備え、
前記複数の補正信号生成手段の各々は、
対応する第１の補正信号生成手段により生成された前記第１の補正信号と前記第２の補正信号生成手段により生成された前記第２の補正信号との演算により前記輪郭補正信号を生成する演算手段をさらに含み、
前記複数の補正手段の各々は、対応する演算手段により得られた前記輪郭補正信号を合成する合成手段を含むことを特徴とする請求項２記載の輪郭補正回路。
【請求項５】
前記第２の補正信号生成手段は、前記第２の高域成分の振幅に基づいて前記第２の補正信号を制御することを特徴とする請求項３または４記載の輪郭補正装置。
【請求項６】
前記第２の補正信号生成手段は、前記第２の高域成分の振幅が所定値よりも小さい場合に前記第２の補正信号を第１のレベルに制御し、前記第２の高域成分のレベルが前記所定値以上の場合に前記第２の補正信号を前記第１のレベルよりも低い第２のレベルに制御することを特徴とする請求項５記載の輪郭補正装置。
【請求項７】
前記演算手段は、乗算手段であることを特徴とする請求項１〜６のいずれかに記載の輪郭補正回路。
【請求項８】
前記合成手段は、加算手段であることを特徴とする請求項１〜７のいずれかに記載の輪郭補正回路。
【請求項９】
複数の原色信号をそれぞれ受けるステップと、
前記複数の原色信号に基づいて複数の輪郭補正信号をそれぞれ生成するステップと、
前記生成された複数の輪郭補正信号に基づいて前記複数の原色信号をそれぞれ補正し、補正された複数の原色信号をそれぞれ出力するステップとを備えたことを特徴とする輪郭補正方法。
【発明の詳細な説明】
【０００１】
【発明の属する技術分野】
本発明は、映像の輪郭を補正する輪郭補正装置および輪郭補正方法に関する。
【０００２】
【従来の技術】
従来より、テレビジョン受像機等の輪郭補正装置には、より鮮明な映像を得るために映像の輪郭を強調する輪郭補正装置が用いられている。このような、輪郭補正装置では、主に輝度信号の高周波成分を抽出し、その高周波成分を輝度信号に加えることにより、映像の輪郭を強調する。
【０００３】
近年、テレビジョン受像機等映像表示装置の大画面化が進んでいる。その結果、大画面に表される映像をより鮮明なものとするため、輪郭強調を効果的に行うことが望まれる。
【０００４】
これに対し、輝度信号の小コントラスト比のエッジを強調する細部強調回路と輝度信号の大コントラスト比のエッジを強調する輪郭強調回路とを組み合わせた画質補正装置が提案されている（特許文献１参照）。この画質補正装置によれば、細部情報の多い映像では、細部強調が強く行われ、細部情報の少ない映像では、細部強調が弱く行われる。これにより、映像信号に対する輪郭強調および細部強調が好適に行われ、ノイズ感が低減される。
【０００５】
【特許文献１】
特許２５３２６０５号公報
【０００６】
【発明が解決しようとする課題】
近年においては、映像に含まれる種々の輪郭を高い感度で効果的に強調し、より鮮明な映像を得ることが求めらている。
【０００７】
本発明の目的は、映像に含まれる種々の輪郭を高い感度で効果的に補正することにより、より鮮明な映像を得ることができる輪郭補正装置および輪郭補正方法を提供することである。
【０００８】
【課題を解決するための手段】
第１の発明に係る輪郭補正装置は、複数の原色信号にそれぞれ対応して設けられ、各々が対応する原色信号を受ける複数の入力ノードと、複数の原色信号に対応して設けられた複数の出力ノードと、複数の入力ノードにそれぞれ接続され、各々が対応する入力ノードの原色信号に基づいて輪郭補正信号をそれぞれ生成する複数の補正信号生成手段と、複数の入力ノードにそれぞれ接続され、各々が対応する補正信号生成手段により生成された輪郭補正信号に基づいて対応する入力ノードの原色信号を補正し、補正された原色信号を対応する出力ノードに与える複数の補正手段とを備えたものである。
【０００９】
第１の発明に係る輪郭補正装置においては、複数の原色信号がそれぞれに対応して設けられた複数の入力ノードに入力される。そして、複数の補正信号生成手段により、入力ノードに入力された複数の原色信号に基づいて輪郭補正信号がそれぞれ生成され、複数の補正手段により、生成された輪郭補正信号に基づいて対応する入力ノードの原色信号が補正され、補正された原色信号が対応する出力ノードに与えられる。補正された原色信号は複数の出力ノードからそれぞれ出力される。
【００１０】
このように、複数の原色信号から輪郭補正信号が個々に生成され、個々の輪郭補正信号に基づいて各原色信号が補正されるので、映像に含まれる種々の輪郭を高い感度で効果的に補正することができる。その結果、より鮮明な映像を実現することができる。
【００１１】
複数の補正信号生成手段の各々は、対応する原色信号から第１の高域成分を抽出し、抽出した第１の高域成分に基づいて第１の補正信号を生成する第１の補正信号生成手段を含み、複数の補正手段の各々は、対応する第１の補正信号生成手段により生成された第１の補正信号に基づく輪郭補正信号を用いて対応する原色信号を補正してもよい。
【００１２】
この場合、複数の補正信号生成手段の各々においては、第１の補正信号生成手段により対応する原色信号から第１の高域成分が抽出され、抽出された第１の高域成分に基づいて第１の補正信号が生成される。そして、複数の補正手段により、対応する第１の補正信号生成手段により生成された第１の補正信号に基づく輪郭補正信号を用いて対応する原色信号が補正される。
【００１３】
それにより、映像に含まれる種々の輪郭を高い感度で効果的に強調することができる。その結果、より鮮明な映像を実現することができる。
【００１４】
複数の輪郭補正信号生成手段の各々は、対応する原色信号から第２の高域成分を抽出し、抽出した高域成分に基づいて第２の補正信号を生成する第２の補正信号生成手段と、第１の補正信号生成手段により生成された第１の補正信号と第２の補正信号生成手段により生成された第２の補正信号との演算により輪郭補正信号を生成する演算手段とをさらに含み、複数の補正手段の各々は、対応する演算手段により得られた輪郭補正信号を原色信号に合成する合成手段を含んでもよい。
【００１５】
この場合、複数の補正信号生成手段の各々においては、第２の補正信号生成手段により、対応する原色信号から第２の高域成分が抽出され、抽出された高域成分に基づいて第２の補正信号が生成される。そして、演算手段により、第１の補正信号生成手段により生成された第１の補正信号と第２の補正信号生成手段により生成された第２の補正信号との演算が行われ、輪郭補正信号が生成される。複数の補正手段の各々においては、合成手段により、対応する演算手段により得られた輪郭補正信号が原色信号に合成される。
【００１６】
それにより、複数の原色信号の各々が有する輪郭成分が確実に強調されるので、映像に含まれる種々の輪郭を高い感度で効果的に強調することができる。その結果、より鮮明な映像を実現することができる。
【００１７】
複数の入力ノードの複数の原色信号から輝度信号を生成する輝度信号生成手段と、輝度信号生成手段により生成された輝度信号に基づいて第２の高域信号を抽出し、抽出した第２の高域信号に基づいて第２の補正信号を生成する第２の補正信号生成手段とをさらに備え、複数の補正信号生成手段の各々は、対応する第１の補正信号生成手段により生成された第１の補正信号と第２の補正信号生成手段により生成された第２の補正信号との演算により輪郭補正信号を生成する演算手段をさらに含み、複数の補正手段の各々は、対応する演算手段により得られた輪郭補正信号を合成する合成手段を含んでもよい。
【００１８】
この場合、輝度信号生成手段により、複数の入力ノードの複数の原色信号から輝度信号が生成され、第２の補正信号生成手段により、生成された輝度信号に基づいて第２の高域信号が抽出され、抽出された第２の高域信号に基づいて第２の補正信号が生成される。複数の補正信号生成手段の各々においては、演算手段により、対応する第１の補正信号生成手段により生成された第１の補正信号と第２の補正信号生成手段により生成された第２の補正信号との演算により輪郭補正信号が生成される。複数の補正手段の各々においては、合成手段により、対応する演算手段により得られた輪郭補正信号が合成される。
【００１９】
それにより、複数の原色信号の各々が有する輪郭成分が確実に強調されるので、映像に含まれる種々の輪郭を高い感度で効果的に強調することができる。その結果、より鮮明な映像を実現することができる。
【００２０】
また、複数の原色信号の平均的な要素を含む輝度信号に基づいて第２の高域成分が抽出されるので、輪郭強調された映像において色バランスの変化が低減される。
【００２１】
第２の補正信号生成手段は、第２の高域成分の振幅に基づいて第２の補正信号を制御してもよい。
【００２２】
この場合、第２の高域成分の振幅に基づいて前記第２の補正信号を制御することにより、各輪郭をレベル変化の程度に応じて適切に補正することができる。
【００２３】
第２の補正信号生成手段は、第２の高域成分の振幅が所定値よりも小さい場合に第２の補正信号を第１のレベルに制御し、第２の高域成分のレベルが所定値以上の場合に第２の補正信号を第１のレベルよりも低い第２のレベルに制御してもよい。
【００２４】
それにより、大きなレベル変化を有する輪郭を過大に強調することなく、小さなレベル変化を有する輪郭を十分に強調することができる。
【００２５】
演算手段は、乗算手段であってもよい。この場合、第１の補正信号に第２の補正信号が乗算されることにより、第１の補正信号が第２の補正信号に基づいて増幅され、輪郭補正信号が得られる。
【００２６】
合成手段は、加算手段であってもよい。この場合、各原色信号に輪郭補正信号が加算されることにより、映像の輪郭が強調される。
【００２７】
第２の発明に係る輪郭補正方法は、複数の原色信号をそれぞれ受けるステップと、複数の原色信号に基づいて複数の輪郭補正信号をそれぞれ生成するステップと、生成された複数の輪郭補正信号に基づいて複数の原色信号をそれぞれ補正し、補正された複数の原色信号をそれぞれ出力するステップとを備えたものである。
【００２８】
第２の発明に係る輪郭補正方法においては、複数の原色信号がそれぞれ受けられ、複数の原色信号に基づいて複数の輪郭補正信号がそれぞれ生成され、生成された複数の輪郭補正信号に基づいて複数の原色信号がそれぞれ補正され、補正された複数の原色信号がそれぞれ出力される。
【００２９】
このように、複数の原色信号から輪郭補正信号が個々に生成され、個々の輪郭補正信号に基づいて各原色信号が補正されるので、映像に含まれる種々の輪郭を高い感度で効果的に補正することができる。その結果、より鮮明な映像を実現することができる。
【００３０】
【発明の実施の形態】
本発明の実施の形態に係る輪郭補正装置は、赤色原色信号（Ｒ信号）、緑色原色信号（Ｇ信号）および青色原色信号（Ｂ信号）に基づく映像の輪郭補正を行う。
【００３１】
第１および第２の実施の形態に係る輪郭補正装置について図１〜図６に基づき説明する。
【００３２】
（第１の実施の形態）
図１は第１の実施の形態に係る輪郭補正装置の構成を示すブロック図であり、図２は図１の輪郭補正装置における各信号の一例を示す波形図である。
【００３３】
第１の実施の形態に係る輪郭補正装置１００Ａは、入力端子１０１Ｒ，１０１Ｇ，１０１Ｂ、出力端子１０２Ｒ，１０２Ｇ，１０２Ｂ、高域信号抽出回路１１０Ｒ，１１０Ｇ，１１０Ｂ，１２０Ｒ，１２０Ｇ，１２０Ｂ、全波整流回路１３０Ｒ，１３０Ｇ，１３０Ｂ、波形整形回路１４０Ｒ，１４０Ｇ，１４０Ｂ、乗算回路２０１Ｒ，２０１Ｇ，２０１Ｂ，２０３Ｒ，２０３Ｇ，２０３Ｂおよび加算回路２０２Ｒ，２０２Ｇ，２０２Ｂ，２０４Ｒ，２０４Ｇ，２０４Ｂを備える。
【００３４】
入力端子１０１Ｒ，１０１Ｇ，１０１Ｂには、それぞれ赤色原色信号Ｒ１、緑色原色信号Ｇ１および青色原色信号Ｂ１が入力される。赤色原色信号Ｒ１、緑色原色信号Ｇ１および青色原色信号Ｂ１には、それぞれ同様の輪郭補正処理が行われる。輪郭補正処理により得られる赤色原色信号Ｒ２、緑色原色信号Ｇ２および青色原色信号Ｂ２は、それぞれ出力端子１０２Ｒ，１０２Ｇ，１０２Ｂから外部へ出力される。
【００３５】
赤色原色信号Ｒ１、緑色原色信号Ｇ１および青色原色信号Ｂ１の各々に対して行われる輪郭補正処理を赤色原色信号Ｒ１に基づき説明する。
【００３６】
入力端子１０１Ｒに入力される赤色原色信号Ｒ１の波形の一例を図２（ａ）に示す。図２（ａ）において、赤色原色信号Ｒ１は２種類の大きさのレベルに変化している。ここで、レベルの変化部が、いわゆる映像の輪郭に相当する。赤色原色信号Ｒ１は、高域信号抽出回路１１０Ｒ，１２０Ｒおよび加算回路２０４Ｒに与えられる。
【００３７】
高域信号抽出回路１１０Ｒは、例えば、ハイパスフィルタ（以下、ＨＰＦと略記する）またはバンドパスフィルタ（以下、ＢＰＦと略記する）等からなる。高域信号抽出回路１１０Ｒは、赤色原色信号Ｒ１の高域成分ＲＨ１を抽出する。なお、高域信号抽出回路１１０Ｒが抽出する高域成分ＲＨ１の周波数帯域は予め設定されているが、その周波数帯域は特に限定されない。
【００３８】
高域信号抽出回路１１０Ｒにより抽出される高域成分ＲＨ１の波形の一例を図２（ｂ）に示す。図２（ｂ）によれば、高域成分ＲＨ１には、図２（ａ）の赤色原色信号Ｒ１のレベルの変化に対応して大きい振幅成分と小さい振幅成分とが含まれている。高域成分ＲＨ１は、乗算回路２０３Ｒに与えられる。
【００３９】
高域信号抽出回路１２０Ｒは、例えば、ＨＰＦまたはＢＰＦ等からなる。高域信号抽出回路１２０Ｒは、赤色原色信号Ｒ１の高域成分ＲＨ２を抽出する。なお、高域信号抽出回路１２０Ｒが抽出する高域成分ＲＨ２の周波数帯域は予め設定されているが、その周波数帯域は特に限定されない。上記の高域信号抽出回路１１０Ｒに設定された周波数帯域と同一であってもよく、異なっていてもよい。
【００４０】
本例では、説明を容易にするため、高域成分ＲＨ２の波形は図２（ｂ）に示される高域成分ＲＨ１と同一とする。高域成分ＲＨ２は、全波整流回路１３０Ｒに与えられる。
【００４１】
全波整流回路１３０Ｒは、高域信号抽出回路１２０Ｒから与えられる高域成分ＲＨ２の負の成分を反転する。これにより生成される第１の全波整流信号ＲＡ１を図２（ｃ）に示す。第１の全波整流信号ＲＡ１は、波形整形回路１４０Ｒに与えられる。
【００４２】
波形整形回路１４０Ｒは、クリッパ回路、リミッタ回路、スライサ回路またはクランプ回路等の各種回路から構成されている。波形整形回路１４０Ｒは、全波整流回路１３０Ｒから与えられる第１の全波整流信号ＲＡ１のノイズ成分を取り除くとともに、特定の振幅成分を除去する。この特定の振幅成分とは、予め定められたしきい値を超えるレベルが含まれた振幅成分である。
【００４３】
例えば、予め定められたしきい値が図２（ｃ）の破線ＴＨで示される場合、破線ＴＨを超えるレベルが含まれた振幅成分ＡＥ（図２（ｃ））が除去され、第１の全波整流信号ＲＡ１のうち小さい振幅成分が抽出される。これにより得られる第２の全波整流信号ＲＡ２を図２（ｄ）に示す。第２の全波整流信号ＲＡ２は、乗算回路２０１Ｒに与えられる。
【００４４】
乗算回路２０１Ｒには、予め所定の値からなる利得補正信号ＲＣＧが入力されている。乗算回路２０１Ｒは、波形整形回路１４０Ｒから与えられる第２の全波整流信号ＲＡ２と利得補正信号ＲＣＧとを乗算する。これにより、第２の全波整流信号ＲＡ２が増幅される。増幅された第２の全波整流信号ＲＡ２は、加算回路２０２Ｒに与えられる。
【００４５】
加算回路２０２Ｒには、予め所定の値からなる利得補正信号ＣＧが入力されている。加算回路２０２Ｒは、乗算回路２０１Ｒにより増幅された第２の全波整流信号ＲＡ２と利得補正信号ＣＧとを加算する。これにより得られる第１の輪郭補正信号ＡＲ１を図２（ｅ）に示す。生成された第１の輪郭補正信号ＡＲ１は、乗算回路２０３Ｒに与えられる。
【００４６】
乗算回路２０３Ｒは、上述の高域信号抽出回路１１０Ｒから与えられる高域成分ＲＨ１と加算回路２０２Ｒから与えられる第１の輪郭補正信号ＡＲ１とを乗算する。これにより、高域成分ＲＨ１に含まれる小さい振幅成分が大きく増幅される。それにより得られる第２の輪郭補正信号ＡＲ２を図２（ｆ）に示す。第２の輪郭補正信号ＡＲ２は、加算回路２０４Ｒに与えられる。
【００４７】
加算回路２０４Ｒは、入力端子１０１Ｒから与えられる赤色原色信号Ｒ１と乗算回路２０３Ｒから与えられる第２の輪郭補正信号ＡＲ２とを加算する。これにより得られる赤色原色信号Ｒ２の一例を図２（ｇ）に示す。図２（ｇ）によれば、レベルの変化が大きい輪郭およびレベルの変化が小さい輪郭の双方に同程度の輪郭強調が行われている。赤色原色信号Ｒ２は、出力端子１０２Ｒに与えられ、上述のように外部へ出力される。
【００４８】
以上のように、入力端子１０１Ｒに入力される赤色原色信号Ｒ１から、高域信号抽出回路１１０Ｒにより高域成分ＲＨ１が抽出されるとともに高域信号抽出回路１２０Ｒにより高域成分ＲＨ２が抽出される。そして、高域成分ＲＨ２のうち小さい振幅成分が波形整形回路１４０Ｒにより抽出され、その小さい振幅成分に基づいて、高域成分ＲＨ１のうち小さい振幅成分が大きく増幅されることにより第２の輪郭補正信号ＡＲ２が生成される。
【００４９】
それにより、レベルの変化が大きい輪郭およびレベルの変化が小さい輪郭の双方に同程度の輪郭強調が行われる。したがって、レベルの変化が大きい輪郭を過大に強調することなくレベルの変化が小さい輪郭を、十分に強調することができる。
【００５０】
上記の輪郭補正処理は、入力端子１０１Ｇ，１０１Ｂに入力される緑色原色信号Ｇ１および青色原色信号Ｂ１に対しても同様に行われる。
【００５１】
すなわち、高域信号抽出回路１１０Ｇが入力端子１０１Ｇの緑色映像信号Ｇ１から高域成分ＧＨ１を抽出するとともに、高域信号抽出回路１２０Ｇが緑色原色信号Ｇ１から高域成分ＧＨ２を抽出する。全波整流回路１３０Ｇは高域成分ＧＨ２から第１の全波整流信号ＧＡ１を生成し、波形整形回路１４０Ｇは第１の全波整流信号ＧＡ１から第２の全波整流信号ＧＡ２を生成する。
【００５２】
乗算回路２０１Ｇは、第２の全波整流信号ＧＡ２に利得補正信号ＧＣＧを乗算することにより第２の全波整流信号ＧＡ２を増幅する。加算回路２０２Ｇは、増幅された第２の全波整流信号ＧＡ２に利得補正信号ＣＧを加算することにより第１の輪郭補正信号ＡＧ１を得る。乗算回路２０３Ｇは、高域成分ＧＨ１に第１の輪郭補正信号ＡＧ１を乗算することにより第２の輪郭補正信号ＡＧ２を得る。加算回路２０４Ｇは、緑色原色信号Ｇ１と第２の輪郭補正信号ＡＧ２とを加算し、緑色原色信号Ｇ２を出力端子１０２Ｇに与える。
【００５３】
また、高域信号抽出回路１１０Ｂが入力端子１０１Ｂの青色原色信号Ｂ１から高域成分ＢＨ１を抽出するとともに、高域信号抽出回路１２０Ｂが青色原色信号Ｂ１から高域成分ＢＨ２を抽出する。全波整流回路１３０Ｂは高域成分ＢＨ２から第１の全波整流信号ＢＡ１を生成し、波形整形回路１４０Ｂは第１の全波整流信号ＢＡ１から第２の全波整流信号ＢＡ２を生成する。
【００５４】
乗算回路２０１Ｂは、第２の全波整流信号ＢＡ２に利得補正信号ＢＣＧを乗算することにより第２の全波整流信号ＢＡ２を増幅する。加算回路２０２Ｂは、増幅された第２の全波整流信号ＢＡ２に利得補正信号ＣＧを加算することにより第１の輪郭補正信号ＡＢ１を得る。乗算回路２０３Ｂは、高域成分ＢＨ１に第１の輪郭補正信号ＡＢ１を乗算することにより第２の輪郭補正信号ＡＢ２を得る。加算回路２０４Ｂは、青色原色信号Ｂ１と第２の輪郭補正信号ＡＢ２とを加算し、青色原色信号Ｂ２を出力端子１０２Ｂに与える。
【００５５】
このようにして得られる緑色原色信号Ｇ２および青色原色信号Ｂ２は、上述のようにそれぞれ出力端子１０２Ｇ，１０２Ｂから外部へ出力される。
【００５６】
なお、加算回路２０２Ｒ，２０２Ｇ，２０２Ｂには、共通の利得補正信号ＣＧが入力されている。一方、乗算回路２０１Ｒ，２０１Ｇ，２０１Ｂには、それぞれ別個に設定される利得補正信号ＲＣＧ，ＧＣＧ，ＢＣＧが入力される。
【００５７】
本実施の形態に係る輪郭補正装置１００Ａにおいては、赤色原色信号Ｒ１、緑色原色信号Ｇ１および青色原色信号Ｂ１の各々に対して輪郭補正処理が行われる。この場合、赤色原色信号Ｒ１、緑色原色信号Ｇ１および青色原色信号Ｂ１の各々の有する輪郭成分が確実に強調される。
【００５８】
例えば、輪郭成分を有する赤色原色信号Ｒ１と輪郭成分を有さない緑色原色信号Ｇ１および青色原色信号Ｂ１とからなる映像を想定する。
【００５９】
この場合、輝度信号に基づく輪郭補正処理によれば、赤色原色信号Ｒ１、緑色原色信号Ｇ１および青色原色信号Ｂ１の影響により、赤色原色信号Ｒ１に含まれる輪郭成分の振幅が抑制された状態で強調される。
【００６０】
これに対して、赤色原色信号Ｒ１、緑色原色信号Ｇ１および青色原色信号Ｂ１に基づく輪郭補正処理によれば、輪郭成分を有さない緑色原色信号Ｇ１および青色原色信号Ｂ１にかかわらず、赤色原色信号Ｒ１の輪郭成分が確実に強調される。
【００６１】
また、赤色原色信号Ｒ１、緑色原色信号Ｇ１および青色原色信号Ｂ１がそれぞれ異なる位置に輪郭成分を有する映像を想定する。
【００６２】
この場合、輝度信号に基づく輪郭補正処理によれば、赤色原色信号Ｒ１、緑色原色信号Ｇ１および青色原色信号Ｂ１の輪郭成分の平均化により、各輪郭成分がなだらかに広がるとともに振幅が抑制された状態で輪郭強調が行われる。
【００６３】
これに対して赤色原色信号Ｒ１、緑色原色信号Ｇ１および青色原色信号Ｂ１に基づく輪郭補正処理によれば、赤色原色信号Ｒ１、緑色原色信号Ｇ１および青色原色信号Ｂ１の輪郭成分の位置にかかわらず、赤色原色信号Ｇ１，緑色原色信号Ｇ１および青色原色信号Ｂ１の輪郭成分がそれぞれ確実に強調される。
【００６４】
このように、本実施の形態に係る輪郭補正装置１００Ａによれば、赤色原色信号Ｒ１、緑色原色信号Ｇ１および青色原色信号Ｂ１の各々の有する輪郭成分が確実に強調されるので、感度の高い効果的な輪郭補正が可能となり、より鮮明な映像を得ることができる。
【００６５】
また、本実施の形態では、輪郭補正処理に複数の高域成分を用い、小さい振幅成分を大きな利得で増幅するとともに大きな振幅成分を小さな利得で増幅することにより輪郭補正信号を生成している。これにより、レベルの変化が大きい輪郭を過大に強調することなく、レベルの変化が小さい輪郭を十分に強調することができる。その結果、細部に渡り鮮明な映像を得ることができる。
【００６６】
（第２の実施の形態）
第２の実施の形態に係る輪郭補正装置は、赤色原色信号、緑色原色信号および青色原色信号に加え、輝度信号を用いることにより輪郭補正を行う。
【００６７】
本実施の形態に係る輪郭補正の基本思想について図３および図４に基づき説明する。図３および図４は、第２の実施の形態に係る輪郭補正の基本思想を説明するための説明図である。
【００６８】
初めに、図３（ａ）の波形で示される赤色原色信号Ｒ、緑色原色信号Ｇおよび青色原色信号Ｂを想定する。
【００６９】
図３（ａ）において、赤色原色信号Ｒ、緑色原色信号Ｇおよび青色原色信号Ｂの輪郭成分（各原色信号と二点鎖線との交点）のレベルの比Ｒ：Ｇ：Ｂを３：５：２とする。この場合、映像の輪郭は黄緑色を呈する。
【００７０】
ここで、図３（ａ）の各原色信号に対して、大きい振幅成分を強調する目的で個々の原色信号に基づく輪郭補正処理を行う場合を想定する。この輪郭補正処理は、図３（ａ）の各原色信号から高域成分を抽出し、抽出した高域成分に基づいて各原色信号に加算する輪郭補正信号を生成することにより行われる。これにより得られる赤色原色信号Ｒ、緑色原色信号Ｇおよび青色原色信号Ｂの一例を図３（ｂ）に示す。
【００７１】
図３（ｂ）によれば、赤色原色信号Ｒ、緑色原色信号Ｇおよび青色原色信号Ｂの輪郭成分（各原色信号と二点鎖線との交点）のレベルの比Ｒ：Ｇ：Ｂは５：６：３となり、図３（ａ）の比に比べて若干変化している。この場合、映像の輪郭は黄緑色を呈する。
【００７２】
次に、図３（ｂ）の各原色信号に対して、小さい振幅成分を強調する目的で個々の原色信号に基づく輪郭補正処理を行う場合を想定する。この輪郭補正処理は、図３（ａ）の各原色信号から高域成分を抽出し、抽出した高域成分のうち小さい振幅成分に基づいて輪郭補正信号を増幅する際の利得を生成することにより行われる。これにより得られる赤色原色信号Ｒ、緑色原色信号Ｇおよび青色原色信号Ｂの一例を図４（ｃ）に示す。
【００７３】
図４（ｃ）によれば、赤色原色信号Ｒ、緑色原色信号Ｇおよび青色原色信号Ｂの輪郭成分（各原色信号と二点鎖線との交点）のレベルの比Ｒ：Ｇ：Ｂは６：７：５となり、図３（ａ）の比に比べて大きく変化している。この場合、映像の輪郭は黄色がかった黄緑色を呈する。
【００７４】
このように、赤色原色信号Ｒ、緑色原色信号Ｇおよび青色原色信号Ｂに対して個々に輪郭補正処理を行う場合、元の映像信号に対して色のバランスが崩れる場合がある。特に、赤色原色信号Ｒ、緑色原色信号Ｇおよび青色原色信号Ｂに対して個々に２度の輪郭補正処理を行う場合、輪郭成分の誤差が増幅され、色のバランスが変化しやすくなる。このような色のバランスの変化を色つきと呼ぶ。
【００７５】
そこで、本実施の形態では、図３（ｂ）の各映像信号に対して、小さい輪郭成分を強調する目的で個々の原色信号に基づく輪郭補正処理ではなく輝度信号に基づいた輪郭補正処理を行う。
【００７６】
この輪郭補正処理は、図３（ａ）の各映像信号から輝度信号を生成し、生成された輝度信号に基づいて各輪郭補正信号を増幅する際の利得を生成することにより行われる。これにより得られる赤色原色信号Ｒ、緑色原色信号Ｇおよび青色原色信号Ｂの一例を図４（ｄ）に示す。
【００７７】
図４（ｄ）によれば、赤色原色信号Ｒ、緑色原色信号Ｇおよび青色原色信号Ｂの輪郭成分（各原色信号と二点鎖線との交点）のレベルの比Ｒ：Ｇ：Ｂは７．５：９：４．５となり、図３（ａ）の比に比べて若干変化しているが、図３（ｂ）の比と同一である。この場合、映像の輪郭は黄緑色を呈する。
【００７８】
このように、本実施の形態に係る輪郭補正処理では、赤色原色信号Ｒ、緑色原色信号Ｇおよび青色原色信号Ｂの各々に対応する輪郭補正信号を増幅する際に、各原色信号の平均的な要素を含む輝度信号に基づいて利得を制御することにより、色つきを低減しつつ赤色原色信号Ｒ、緑色原色信号Ｇおよび青色原色信号Ｂの輪郭成分を十分に強調することができる。
【００７９】
以上の基本思想に基づいて、本実施の形態に係る輪郭補正装置の詳細について説明する。
【００８０】
図５は第２の実施の形態に係る輪郭補正装置の構成を示すブロック図であり、図６は図５の輪郭補正装置における各信号の一例を示す波形図である。
【００８１】
第２の実施の形態に係る輪郭補正装置１００Ｂは、以下に示す点を除き第１の実施の形態と同様の構成を有する。
【００８２】
本実施の形態に係る輪郭補正装置１００Ｂは、第１の実施の形態に係る輪郭補正装置１００Ａの高域信号抽出回路１２０Ｒ，１２０Ｇ，１２０Ｂ、全波整流回路１３０Ｒ，１３０Ｇ，１３０Ｂ、波形整形回路１４０Ｒ，１４０Ｇ，１４０Ｂおよび乗算回路２０１Ｒ，２０１Ｇ，２０１Ｂに代えて、マトリクス（以下、ＭＴＸと略記する。）変換回路３１０、高域信号抽出回路１２０、全波整流回路１３０、コアリング回路３２０、波形整形回路１４０および乗算回路２０１を備える。
【００８３】
第１の実施の形態と同様に入力端子１０１Ｒ，１０１Ｇ，１０１Ｂには、それぞれ赤色原色信号Ｒ１、緑色原色信号Ｇ１および青色原色信号Ｂ１が入力される。後述する輪郭補正処理により得られる赤色原色信号Ｒ２、緑色原色信号Ｇ２および青色原色信号Ｂ２は、それぞれ出力端子１０２Ｒ，１０２Ｇ，１０２Ｂから外部へ出力される。
【００８４】
赤色原色信号Ｒ１、緑色原色信号Ｇ１および青色原色信号Ｂ１の各々に対して行われる輪郭補正処理を赤色原色信号Ｒ１に基づき説明する。
【００８５】
入力端子１０１Ｒに入力される赤色原色信号Ｒ１の波形の一例を図６（ａ）に示す。図６（ａ）において、赤色原色信号Ｒ１は２種類の大きさのレベルに変化している。赤色原色信号Ｒ１は、高域信号抽出回路１１０Ｒ、ＭＴＸ変換回路３１０および加算回路２０４Ｒに与えられる。
【００８６】
高域信号抽出回路１１０Ｒにおいては、第１の実施の形態と同様の動作が行われる。高域信号抽出回路１１０Ｒにより抽出される高域成分ＲＨ１の波形の一例を図６（ｂ）に示す。図６（ｂ）によれば、高域成分ＲＨ１には、図６（ａ）の赤色原色信号Ｒ１のレベルの変化に対応して大きい振幅成分と小さい振幅成分とが含まれている。高域成分ＲＨ１は、乗算回路２０３Ｒに与えられる。
【００８７】
ＭＴＸ変換回路３１０には、赤色原色信号Ｒ１、緑色原色信号Ｇ１および青色原色信号Ｂ１が入力される。
【００８８】
ＭＴＸ変換回路３１０は、赤色原色信号Ｒ１、緑色原色信号Ｇ１および青色原色信号Ｂ１を輝度信号および色差信号に変換する。これにより得られる輝度信号Ｙは、高域信号抽出回路１２０に与えられる。
【００８９】
本例では、説明を容易にするため、輝度信号Ｙの波形は図６（ａ）に示される赤色原色信号Ｒ１と同一とする。
【００９０】
高域信号抽出回路１２０は、例えば、ＨＰＦまたはＢＰＦ等からなる。高域信号抽出回路１２０は、輝度信号Ｙの高域成分ＹＨを抽出する。なお、高域信号抽出回路１２０が抽出する高域成分ＹＨの周波数帯域は予め設定されているが、その周波数帯域は特に限定されない。上記の高域信号抽出回路１１０Ｒに設定された周波数帯域と同一であってもよく、異なっていてもよい。
【００９１】
高域信号抽出回路１２０により抽出される高域成分ＹＨの波形の一例を図６（ｃ）に示す。図６（ｃ）によれば、高域成分ＹＨには、図６（ａ）の輝度信号Ｙのレベルの変化に対応して２種類の大きさの振幅成分とともに、微妙なノイズ成分が含まれている。高域成分ＹＨは、全波整流回路１３０に与えられる。
【００９２】
全波整流回路１３０は、高域信号抽出回路１２０から与えられる高域成分ＹＨの負の成分を反転する。これにより生成される第１の全波整流信号ＹＡ１を図６（ｄ）に示す。第１の全波整流信号ＹＡ１は、コアリング回路３２０に与えられる。
【００９３】
コアリング回路３２０は、全波整流回路１３０から与えられる第１の全波整流信号ＹＡ１の所定のレベルより小さい振幅成分を除去する。
【００９４】
例えば、所定のレベルが図６（ｄ）の破線ＣＯで表される場合、破線ＣＯより小さいレベルの振幅成分ＮＯ（図６（ｄ））が除去される。これにより、第１の全波整流信号ＹＡ１のノイズ成分が取り除かれる。このようにして得られる第２の全波整流信号ＹＡ２を図６（ｅ）に示す。第２の全波整流信号ＹＡ２は、波形整形回路１４０に与えられる。
【００９５】
波形整形回路１４０は、クリッパ回路、リミッタ回路、スライサ回路またはクランプ回路等の各種回路から構成されている。波形整形回路１４０は、全波整流回路１３０から与えられる第２の全波整流信号ＹＡ２の特定の振幅成分を除去する。この特定の振幅成分とは、予め定められたしきい値を超えるレベルが含まれた振幅成分である。
【００９６】
例えば、予め定められたしきい値が図６（ｅ）の破線ＴＨで示される場合、破線ＴＨを超えるレベルが含まれた振幅成分ＡＥ（図６（ｅ））が除去され、高域成分ＹＡ２のうち小さい振幅成分が抽出される。これにより得られる第３の全波整流信号ＹＡ３を図６（ｆ）に示す。第３の全波整流信号ＹＡ３は、乗算回路２０１に与えられる。
【００９７】
乗算回路２０１には、予め所定の値からなる利得補正信号ＹＣＧが入力されている。乗算回路２０１は、波形整形回路１４０から与えられる第３の全波整流信号ＹＡ３と利得補正信号ＹＣＧとを乗算する。これにより、第３の全波整流信号ＹＡ３が増幅される。増幅された第３の全波整流信号ＹＡ３は、加算回路２０２Ｒ，２０２Ｇ，２０２Ｂに与えられる。
【００９８】
加算回路２０２Ｒには、予め所定の値からなる利得補正信号ＣＧが入力されている。加算回路２０２Ｒは、乗算回路２０１により増幅された第３の全波整流信号ＹＡ３と利得補正信号ＣＧとを加算する。これにより得られる第１の輪郭補正信号ＡＹを図６（ｇ）に示す。生成された第１の輪郭補正信号ＡＹは、乗算回路２０３Ｒに与えられる。
【００９９】
乗算回路２０３Ｒは、上述の高域信号抽出回路１１０Ｒから与えられる高域成分ＲＨ１と加算回路２０２Ｒから与えられる第１の輪郭補正信号ＡＹとを乗算する。これにより、高域成分ＲＨ１に含まれる小さい振幅成分が大きく増幅される。それにより得られる第２の輪郭補正信号ＡＲを図６（ｈ）に示す。第２の輪郭補正信号ＡＲは、加算回路２０４Ｒに与えられる。
【０１００】
加算回路２０４Ｒは、入力端子１０１Ｒから与えられる赤色原色信号Ｒ１と乗算回路２０３Ｒから与えられる第２の輪郭補正信号ＡＲとを加算する。これにより得られる赤色原色信号Ｒ２の一例を図６（ｉ）に示す。図６（ｉ）によれば、レベルの変化が大きい輪郭およびレベルの変化が小さい輪郭の双方に同程度の輪郭強調が行われている。赤色原色信号Ｒ２は、出力端子１０２Ｒに与えられ、上述のように外部へ出力される。
【０１０１】
以上のように、入力端子１０１Ｒに入力される赤色原色信号Ｒ１から、高域信号抽出回路１１０Ｒにより高域成分ＲＨ１が抽出される。また、輝度信号Ｙから、高域信号抽出回路１２０により高域成分ＹＨが抽出される。そして、高域成分ＹＨのうち小さい振幅成分が波形整形回路１４０により抽出され、その小さい振幅成分に基づいて、高域成分ＲＨ１のうち小さい振幅成分が大きく増幅されることにより第２の輪郭補正信号ＡＲが生成される。
【０１０２】
それにより、レベルの変化が大きい輪郭およびレベルの変化が小さい輪郭の双方に同程度の輪郭強調が行われる。したがって、レベルの変化が大きい輪郭を過大に強調することなくレベルの変化が小さい輪郭を、十分に強調することができる。
【０１０３】
上記の輪郭補正処理は、入力端子１０１Ｇ，１０１Ｂに入力される緑色原色信号Ｇ１および青色原色信号Ｂ１に対しても同様に行われる。
【０１０４】
すなわち、高域信号抽出回路１１０Ｇが入力端子１０１Ｇの緑色原色信号Ｇ１から高域成分ＧＨ１を抽出する。加算回路２０２Ｇは、増幅された第３の全波整流信号ＹＡ３に利得補正信号ＣＧを加算することにより第１の輪郭補正信号ＡＹを得る。
【０１０５】
乗算回路２０３Ｇは、高域成分ＧＨ１に第１の輪郭補正信号ＡＹを乗算することにより第２の輪郭補正信号ＡＧを得る。加算回路２０４Ｇは、緑色原色信号Ｇ１と第２の輪郭補正信号ＡＧとを加算し、緑色原色信号Ｇ２を出力端子１０２Ｇに与える。
【０１０６】
また、高域信号抽出回路１１０Ｂが入力端子１０１Ｂの青色原色信号Ｂ１から高域成分ＢＨ１を抽出する。加算回路２０２Ｂは、増幅された第３の全波整流信号ＹＡ３に利得補正信号ＣＧを加算することにより第１の輪郭補正信号ＡＹを得る。
【０１０７】
乗算回路２０３Ｂは、高域成分ＢＨ１に第１の輪郭補正信号ＡＹを乗算することにより第２の輪郭補正信号ＡＢを得る。加算回路２０４Ｂは、青色原色信号Ｂ１と第２の輪郭補正信号ＡＢとを加算し、青色原色信号Ｂ２を出力端子１０２Ｂに与える。
【０１０８】
このようにして得られる緑色原色信号Ｇ２および青色原色信号Ｂ２は、上述のようにそれぞれ出力端子１０２Ｇ，１０２Ｂの各々から外部へ出力される。
【０１０９】
なお、加算回路２０２Ｒ，２０２Ｇ，２０２Ｂには、共通の利得補正信号ＣＧが入力されている。また、加算回路２０２Ｒ，２０２Ｇ，２０２Ｂの各々から乗算回路２０３Ｒ，２０３Ｇ，２０３Ｂの各々に与えられる第１の輪郭補正信号ＡＹは、輝度信号Ｙに基づいて生成された同一の信号である。
【０１１０】
本実施の形態に係る輪郭補正装置１００Ｂにおいては、赤色原色信号Ｒ１、緑色原色信号Ｇ１および青色原色信号Ｂ１の各々に対して輪郭補正処理が行われる。この場合、赤色原色信号Ｒ１、緑色原色信号Ｇ１および青色原色信号Ｂ１の各々の有する輪郭成分が確実に強調されるので、感度の高い効果的な輪郭補正が可能となる。
【０１１１】
また、赤色原色信号Ｒ１、緑色原色信号Ｇ１および青色原色信号Ｂ１の各々に対応する輪郭補正信号を増幅する際に各映像信号の平均的な要素を含む輝度信号Ｙに基づいて利得を制御しているので、色つきを低減することができる。したがって、色つきを低減しつつ感度の高い輪郭補正が可能となり、より鮮明な映像を得ることができる。
【０１１２】
さらに、本実施の形態では、輪郭補正処理に複数の高域成分を用い、小さい振幅成分を大きな利得で増幅するとともに大きな振幅成分を小さな利得で増幅することにより輪郭補正信号を生成している。これにより、レベルの変化が大きい輪郭を過大に強調することなくレベルの変化が小さい輪郭を十分に強調することができる。その結果、細部に渡り鮮明な映像を得ることができる。
【０１１３】
以上、第１および第２の実施の形態において、入力端子１０１Ｒ，１０１Ｇ，１０１Ｂが複数の入力ノードに相当し、出力端子１０２Ｒ，１０２Ｇ，１０２Ｂが複数の出力ノードに相当し、高域信号抽出回路１１０Ｒ，１２０Ｒ、全波整流回路１３０Ｒ、波形整形回路１４０Ｒ、乗算回路２０１Ｒ，２０３Ｒおよび加算回路２０２Ｒと、高域信号抽出回路１１０Ｇ，１２０Ｇ、全波整流回路１３０Ｇ、波形整形回路１４０Ｇ、乗算回路２０１Ｇ，２０３Ｇおよび加算回路２０２Ｇと、高域信号抽出回路１１０Ｂ，１２０Ｂ、全波整流回路１３０Ｂ、波形整形回路１４０Ｂ、乗算回路２０１Ｂ，２０３Ｂおよび加算回路２０２Ｂと、高域信号抽出回路１１０Ｒおよび乗算回路２０３Ｒと、高域信号抽出回路１１０Ｇおよび乗算回路２０３Ｇと、高域信号抽出回路１１０Ｂおよび乗算回路２０３Ｂと、ＭＴＸ変換回路３１０、高域信号抽出回路１２０、全波整流回路１３０、コアリング回路３２０、波形整形回路１４０、乗算回路２０１，２０３Ｒ，２０３Ｇ，２０３Ｂおよび加算回路２０２Ｒ，２０２Ｇ，２０２Ｂとが複数の補正信号生成手段に相当する。
【０１１４】
また、加算回路２０４Ｒ，２０４Ｇ，２０４Ｂが複数の補正手段に相当し、高域信号抽出回路１１０Ｒ，１１０Ｇ，１１０Ｂが第１の補正信号生成手段に相当し、第１の高域成分が高域成分ＲＨ１，ＧＨ１，ＢＨ１に相当し、第２の輪郭補正信号ＡＲ２，ＡＧ２，ＡＢ２，ＡＲ，ＡＧ，ＡＢが第１の補正信号に相当し、高域成分ＲＨ２，ＧＨ２，ＢＨ２，ＹＨが第２の高域成分に相当する。
【０１１５】
さらに、高域信号抽出回路１１０Ｒ，１１０Ｇ，１１０Ｂ，１２０Ｒ，１２０Ｇ，１２０Ｂ、全波整流回路１３０Ｒ，１３０Ｇ，１３０Ｂおよび波形整形回路１４０Ｒ，１４０Ｇ，１４０Ｂが第２の補正信号生成手段に相当し、第１の輪郭補正信号ＡＲ１，ＡＧ１，ＡＢ１，ＡＹが第２の補正信号に相当する。
【０１１６】
また、乗算回路２０３Ｒ，２０３Ｇ，２０３Ｂが演算回路に相当し、加算回路２０４Ｒ，２０４Ｇ，２０４Ｂが合成手段に相当し、ＭＴＸ変換回路３１０が輝度信号生成手段に相当する。
【０１１７】
なお、図５の輪郭補正装置１００Ｂでは、ノイズ成分を除去すべくコアリング回路３２０が用いられているが、他の回路がノイズ成分を除去する機能を有する場合またはノイズ成分を除去する他の構成が含まれている場合は、コアリング回路３２０を設けなくてもよい。
【０１１８】
【発明の効果】
複数の原色信号から輪郭補正信号が個々に生成され、個々の輪郭補正信号に基づいて各原色信号が補正されるので、映像に含まれる種々の輪郭を高い感度で効果的に補正することができる。その結果、より鮮明な映像を実現することができる。
【図面の簡単な説明】
【図１】第１の実施の形態に係る輪郭補正装置の構成を示すブロック図
【図２】図１の輪郭補正装置における各信号の一例を示す波形図
【図３】第２の実施の形態に係る輪郭補正の基本思想を説明するための説明図
【図４】第２の実施の形態に係る輪郭補正の基本思想を説明するための説明図
【図５】第２の実施の形態に係る輪郭補正装置の構成を示すブロック図
【図６】図５の輪郭補正装置における各信号の一例を示す波形図
【符号の説明】
１００Ａ，１００Ｂ  輪郭補正装置
１０１Ｒ，１０１Ｇ，１０１Ｂ  入力端子
１０２Ｒ，１０２Ｇ，１０２Ｂ  出力端子
１１０Ｒ，１１０Ｇ，１１０Ｂ，１２０，１２０Ｒ，１２０Ｇ，１２０Ｂ  高域信号抽出回路
１３０，１３０Ｒ，１３０Ｇ，１３０Ｂ  全波整流回路
１４０，１４０Ｒ，１４０Ｇ，１４０Ｂ  波形整形回路
２０１，２０１Ｒ，２０１Ｇ，２０１Ｂ，２０３Ｒ，２０３Ｇ，２０３Ｂ  乗算回路
２０２Ｒ，２０２Ｇ，２０２Ｂ，２０４Ｒ，２０４Ｇ，２０４Ｂ  加算回路
３１０  マトリクス変換回路
３２０  コアリング回路
Ｒ１，Ｒ２  赤色原色信号
Ｇ１，Ｇ２  緑色原色信号
Ｂ１，Ｂ２  青色原色信号
ＲＨ１，ＧＨ１，ＢＨ１，ＲＨ２，ＧＨ２，ＢＨ２，ＹＨ  高域成分
ＡＲ，ＡＧ，ＡＢ，ＡＲ２，ＡＧ２，ＡＢ２  第２の輪郭補正信号
ＡＲ１，ＡＧ１，ＡＢ１，ＡＹ  第１の輪郭補正信号
【図１】
2004343644.tif 000003
【図２】
2004343644.tif 000004
【図３】
2004343644.tif 000005
【図４】
2004343644.tif 000006
【図５】
2004343644.tif 000007
【図６】
2004343644.tif 000008